(57)【要約】  本発明の無線システムは、異なったコンテンツ能力を有する２つのユーザの間での結合されたＣＳセッション及びＩＭＳセッションの相互動作を、相互動作回線交換及びＩＭＳ機能（InterWorking Circuit Switched and IMS Function：ＩＭＳ  ＣＳ  ＩＷＦ）により実行する。ＩＭＳ及びＣＳを支援するユーザ、ならびにＩＭＳのみを支援する別のユーザに対する組合せ的なサービス実施方法である。
2009525682.tif 000002
【特許請求の範囲】
【請求項１】
少なくとも２つのユーザを有する無線ネットワークにおいて、
異なったコンテンツ能力を有する２つのユーザの間でＣＳセッションを最初に確立するステップと、
前記２つのユーザの間でＩＭＳセッションを確立するステップと、
前記ＣＳセッション及び前記ＩＭＳセッションを結合するステップと、
前記結合されたＣＳ及びＩＭＳセッションの相互動作を提供するステップと
を含むことを特徴とする方法。
【請求項２】
前記コンテンツが少なくとも音声及びマルチメディアを含むことを特徴とする請求項１に記載の方法。
【請求項３】
前記２つのユーザの第１のユーザが前記ＩＭＳセッションを送信勧誘することを特徴とする請求項１に記載の方法。
【請求項４】
前記２つのユーザの第２のユーザがＩＭＳ送信勧誘を受諾することを特徴とする請求項１に記載の方法。
【請求項５】
ＣＳ及びＩＭＳコンテンツが、前記ＩＭＳドメインにおいてＣＳＩ  ＩＷＦを使用して結合されることを特徴とする請求項４に記載の方法。
【請求項６】
ＩＭＳ能力を有するＷＴＲＵとして前記２つのユーザの１つを構成するステップをさらに含むことを特徴とする請求項１に記載の方法。
【請求項７】
相互動作するＩＭＳ及びＣＳ通話能力を有するＷＴＲＵとして前記２つのユーザの１つを構成するステップをさらに含むことを特徴とする請求項１に記載の方法。
【請求項８】
相互動作するＩＭＳ及びＣＳ通話能力を有するＷＴＲＵとして前記２つのユーザの残りの１つを構成するステップをさらに含むことを特徴とする請求項７に記載の方法。
【請求項９】
ＩＭＳ能力を有する前記ＷＴＲＵが、結合されたＣＳ及びＩＭＳセッションに対して送信勧誘を開始するステップをさらに含むことを特徴とする請求項８に記載の方法。
【請求項１０】
相互動作能力を有する前記ＷＴＲＵが、前記ＣＳ能力によって音声メッセージを受信し、かつ前記ＩＭＳ能力によりメディア・コンテンツを受信するステップをさらに含むことを特徴とする請求項８に記載の方法。
【請求項１１】
ＩＭＳ能力を有する前記ＷＴＲＵが、前記ＩＭＳ能力によってメディア・メッセージと結合されたＶｏＩＰ音声メッセージを受信するステップをさらに含むことを特徴とする請求項１０に記載の方法。
【請求項１２】
前記ＩＭＳ可能なＷＴＲＵからメディア及びＶｏＩＰ形式音声コンテンツを受信し、かつ前記相互動作ＷＴＲＵの前記ＩＭＳ能力にメディア・コンテンツを供給するために前記２つのユーザの間に相互動作機能を提供するステップと、
ＶｏＩＰ形式音声コンテンツを前記相互動作ＷＴＲＵの前記ＣＳ能力と互換性のある形式に変えるステップと
をさらに含むことを特徴とする請求項８に記載の方法。
【請求項１３】
前記相互動作ＷＴＲＵからメディア及びＣＳ音声コンテンツを受信し、かつ前記ＩＭＳ可能なＷＴＲＵの前記ＩＭＳ能力にメディア・コンテンツを供給するために前記２つのユーザの間に相互動作機能を提供するステップと、
前記ＣＳ音声コンテンツを前記ＩＭＳ可能なＷＴＲＵの前記ＩＭＳ能力と互換性のあるＶｏＩＰ形式に変えるステップと
をさらに含むことを特徴とする請求項８に記載の方法。
【請求項１４】
ＩＷＦへＩＭＳドメインを通して伝達された前記ＩＭＳ可能なＷＴＲＵからの送信勧誘信号を、前記相互動作ＷＴＲＵの前記ＩＭＳ能力へのみ伝達し、前記相互動作ＷＴＲＵから受諾信号を受信し、前記受諾信号を前記ＩＭＳ可能なＷＴＲＵに前記ＩＭＳドメインを通して伝達するために、前記の２つのユーザの間にＩＷＦを提供するステップをさらに含むことを特徴とする請求項８に記載の方法。
【請求項１５】
前記ＩＷＦが、前記ＩＭＳドメインにおけるＭＧＷ及び前記相互動作ＷＴＲＵの前記ＣＳ能力の間にＣＳ音声ベアラを確立するステップをさらに含むことを特徴とする請求項１４に記載の方法。
【請求項１６】
前記ＩＷＦが、前記相互動作ＷＴＲＵの前記ＩＭＳ能力及び前記ＩＭＳドメインの間にＰＳメディア・ベアラを確立するステップをさらに含むことを特徴とする請求項１４に記載の方法。
【請求項１７】
少なくとも２つのユーザを有する無線ネットワークにおいて、
異なったコンテンツ能力を有する２つのユーザの間でＣＳセッションを最初に確立するためのデバイスと、
前記デバイスがさらに、前記ＣＳセッション及びＩＭＳセッションを結合することによって前記２つのユーザの間で前記ＩＭＳセッションを確立することにより前記結合されたＣＳ及びＩＭＳセッションの相互動作を提供する前記デバイスと
を備えることを特徴とする装置。
【請求項１８】
前記コンテンツが少なくとも音声及びマルチメディアを含むことを特徴とする請求項１７に記載の装置。
【請求項１９】
前記２つのユーザの第１のユーザが前記ＩＭＳセッションに対して送信勧誘信号を供給するように構成されることを特徴とする請求項１７に記載の装置。
【請求項２０】
前記２つのユーザの第２のユーザが前記送信勧誘信号に応答し、前記ＩＭＳ送信勧誘の受諾信号を送るように構成されること特徴とする請求項１７に記載の装置。
【請求項２１】
前記ＣＳ及びＩＭＳコンテンツが、前記ＩＭＳドメインにおいてＣＳＩ  ＩＷＦを使用して結合されることを特徴とする請求項２０に記載の装置。
【請求項２２】
前記２つのユーザの１つが、ＩＭＳ能力を有するＷＴＲＵとして構成されることをさらに備えることを特徴とする請求項１７に記載の装置。
【請求項２３】
前記２つのユーザの１つが、相互動作するＩＭＳ及びＣＳ通話能力を有するＷＴＲＵとして構成されることをさらに備えることを特徴とする請求項１７に記載の装置。
【請求項２４】
前記２つのユーザの残りの１つが、相互動作するＩＭＳ及びＣＳ通話能力を有するＷＴＲＵとして構成されることをさらに備えることを特徴とする請求項２３に記載の装置。
【請求項２５】
ＩＭＳ能力を有するＷＴＲＵが、結合されたＣＳ及びＩＭＳセッションに対して送信勧誘を開始するように構成されることをさらに備えることを特徴とする請求項２４に記載の装置。
【請求項２６】
相互動作能力を有するＷＴＲＵが、前記ＣＳ能力によって音声メッセージを受信し、かつ前記ＩＭＳ能力によりメディア・コンテンツを受信するように構成されることをさらに備えることを特徴とする請求項２４に記載の装置。
【請求項２７】
ＩＭＳ能力を有するＷＴＲＵが、前記ＩＭＳ能力によってメディア・メッセージと結合されたＶｏＩＰ音声メッセージを受信するように構成されることをさらに備えることを特徴とする請求項２６に記載の装置。
【請求項２８】
前記ＩＭＳ可能なＷＴＲＵからメディア及びＶｏＩＰ形式音声コンテンツを受信し、前記相互動作ＷＴＲＵの前記ＩＭＳ能力にメディア・コンテンツを供給するように構成され、かつＶｏＩＰ形式音声コンテンツを前記相互動作ＷＴＲＵの前記ＣＳ能力と互換性のある形式に変えるように構成される、前記２つのユーザの間の相互動作機能を提供することをさらに備えることを特徴とする請求項２４に記載の装置。
【請求項２９】
前記相互動作ＷＴＲＵからメディア及びＣＳ音声コンテンツを受信し、前記ＩＭＳ可能なＷＴＲＵの前記ＩＭＳ能力にメディア・コンテンツを供給するように構成され、かつ前記ＣＳ音声コンテンツを前記ＩＭＳ可能なＷＴＲＵの前記ＩＭＳ能力と互換性のあるＶｏＩＰ形式に変えるように構成される、前記２つのユーザの間の相互動作機能を提供することをさらに備えることを特徴とする請求項２４に記載の装置。
【請求項３０】
ＩＷＦへＩＭＳドメインを通して伝達された前記ＩＭＳ可能なＷＴＲＵからの送信勧誘信号を、前記相互動作ＷＴＲＵの前記ＩＭＳ能力へのみ伝達するように構成され、かつ前記相互動作ＷＴＲＵから受諾信号を受信し、前記受諾信号を前記ＩＭＳ可能なＷＴＲＵに前記ＩＭＳドメインを通して伝達するように構成される、前記２つのユーザの間のＩＷＦを提供することをさらに備えることを特徴とする請求項２４に記載の装置。
【請求項３１】
前記ＩＷＦが、前記ＩＭＳドメインにおけるＭＧＷ及び前記相互動作ＷＴＲＵの前記ＣＳ能力の間にＣＳ音声ベアラを確立するように構成されることをさらに備えることを特徴とする請求項３０に記載の装置。
【請求項３２】
前記ＩＷＦが、前記相互動作ＷＴＲＵの前記ＩＭＳ能力及び前記ＩＭＳドメインの間にＰＳメディア・ベアラを確立するように構成されることをさらに備えることを特徴とする請求項３０に記載の装置。
【請求項３３】
前記ＩＷＦが、前記ＩＭＳ可能なＷＴＲＵからの終話（ＢＹＥ）メッセージに対応して前記相互動作ＷＴＲＵ及び前記ＭＧＷに終話メッセージ群を伝達するように構成されることをさらに備えることを特徴とする請求項２９に記載の装置。
【請求項３４】
前記ＭＧＷが、前記ＩＷＦからの前記ＢＹＥメッセージに対応して相互動作ＷＴＲＵに通話開放メッセージを供給するように構成されることをさらに備えることを特徴とする請求項３３に記載の装置。
【発明の詳細な説明】
【技術分野】
【０００１】
本発明は無線通信に関する。具体的には、ＩＭＳ（IP  Multimedia  Subsystem）の音声／ビデオ・セッションと、ＣＳ（Circuit Switched：回線交換）通話及びＩＭＳセッションの結合との間の相互動作に関する。
【背景技術】
【０００２】
３ＧＰＰ（Third Generation Partnership Project）では、ＣＳ通話及びＩＭＳセッションを結合する方法並びにそのようなサービス及びセッションの間を相互動作させることを明確にする作業をしている。
【発明の開示】
【発明が解決しようとする課題】
【０００３】
３ＧＰＰのＩＭＳ音声／ビデオ・セッションと、ＣＳ通話及びＩＭＳセッションの結合との間の相互動作（interworking）を提供する必要がある。
【課題を解決するための手段】
【０００４】
本発明は、ＣＳ音声通話（例えば、ＧＳＭ（Global System for Mobile communication））及びＩＭＳマルチメディア・セッションの両方を、セッション／サービスの何れにも少しの中断もなしで、同時に支援することが可能な、デュアル・モード端末（ＷＴＲＵ）を容易にすることに関する。本発明は、マルチメディア・サービスの付加を伴う信頼性のあるＧＳＭ準拠のＣＳ音声通話に対する需要の高まりに対応する。本発明によると、１つの無線ユニットにてＣＳ及びＩＭＳセッションの両方のサービスが独立的に提供され、他方の無線ユニットにて両方のサービスが結合される、結合されたＣＳ及びＩＭＳセッションを可能とするために、ＩＭＳドメインにおいてＣＳＩＷＦ（Circuit Switched InterWorking Function：回線交換相互動作機能）を実行し、かつＣＳ及びＰＳ（Packet Switched：パケット交換）ドメインとインタフェースする装置を提供することによって、そのようなサービスが機能する。
【発明を実施するための最良の形態】
【０００５】
例として与えられ、かつ添付図面に関連して理解されるべき、好適な実施形態の以下の記述から本発明のより詳細な理解を得ることができる。
【０００６】
本発明の特徴及び要素が好適な実施形態において特定の組み合わせにて説明されるが、それぞれの特徴または要素は単独にて（好適な実施形態の他の特徴及び要素なしで）、または本発明の他の特徴及び要素のあるなしにかかわらず、様々な組み合わせにて使用可能である。
【０００７】
本明細書で参照される場合、用語「ＷＴＲＵ（Wireless Transmit Receive Unit：無線送受信ユニット）」は限定するものではないが、ＵＥ（User Equipment：ユーザ設備）、移動端末（mobile station）、固定または移動体の加入者ユニット、ページャ、携帯電話、ＰＤＡ（Personal Digital Assistant：携帯情報端末）、コンピュータ、または無線環境において動作することが可能な他のいかなる種類のデバイスをも含む。本明細書で参照される場合、「基地局（base station）」は、限定するものではないが、ノードＢ（Ｎｏｄｅ−Ｂ）、サイト制御装置、ＡＰ（Access Point：アクセス・ポイント）、または無線環境における他のいかなる種類のインタフェース・デバイスをも含む。
【０００８】
本発明は、異なったドメイン（ＣＳ、ＩＭＳ）及び異なったＷＴＲＵ能力（ＣＳＩ、ＩＭＳ  ＶｏＩＰなど）を考慮に入れてリアルタイムのセッション及び通話を終了させることを取り扱う。
【０００９】
簡潔に言うと、マルチメディア通話はＩＭＳのみが可能なＷＴＲＵ１２から開始され、その送信勧誘（invitation）にはそれぞれ自身の属性を有する、音声構成要素（Ｖ）及び媒体構成要素（Ｍ）を含む場合がある（図１及び図２参照）。受信ＷＴＲＵ１０は、ＧＳＭ（ＣＳドメイン）上の音声通話を選択する特有な構成を有する。次に、受信ＷＴＲＵ１０のＩＭＳ側１０ｂが、その構成要素によりマルチメディア通話を受諾すると、発呼側加入者（ＩＭＳ可能なＷＴＲＵ１２）及び被呼側加入者（ＣＳ及びＩＭＳ可能なＷＴＲＵ１０）の間に、ＣＳ音声ベアラ（bearer）が確立される。被呼側ＷＴＲＵ１０が発呼側ＷＴＲＵ１２からのＩＭＳドメインを通した音声（Ｖ）及びマルチメディア（Ｍ）応答（ＯＫ）に確認応答し、ＭＧＷ（Media Gateway：メディア・ゲートウェイ）２６が被呼側ＷＴＲＵ１０に対して「呼び出し（ring）」をし、そして被呼側ＷＴＲＵ１０が応答すると、ＣＳ音声通話が確立する。ＭＧＷ／ＭＧＣＦ２６は、音声通話をＶｏＩＰ（Voice over IP）形式に変える。ＩＭＳ  ＣＳＩ  ＩＷＦ２０は、ＣＳＩ  ＷＴＲＵ１０のＩＭＳ可能部分１０ｂにメディア・コンテンツを伝達し、そしてＩＭＳドメインと結合されたトラフィックを支援する。
【００１０】
図１は、２つの端末の間でＩＭＳマルチメディア・セッションと結合されたＣＳ音声通話の確立を制御するためにＩＭＳドメインにおいて導入された新規の相互動作装置を示す図であり、２つの端末の１つはＩＭＳのみが可能であり、他方がデュアル・モード（ＩＭＳ及びＣＳが可能）であり、２つのネットワーク送受信機、すなわちＣＳＩ（Circuit Switched Interworking：回線交換相互動作）、すなわちＣＳ及びＩＭＳ可能なＷＴＲＵ１０と、ＩＭＳ可能なＷＴＲＵ１２との間の無線通話セッションに対する簡略化された信号フロー図を有する図である。ＷＴＲＵ１０は、それぞれＣＳ及びＩＭＳを支援するためのデバイス１０ａ及び１０ｂを有し、一方、ＷＴＲＵ１２はＩＭＳを支援する。ドメイン・デバイス２０は以下のように、ＷＴＲＵ１０、１２エンティティの間で、ＣＳドメイン・コンテンツをＩＭＳドメイン・コンテンツに結合する。図１の例においては簡略化のために２つのＷＴＲＵのみが示されるが、結合されたセッションにおいて他のＷＴＲＵ群が関与することができると理解されることに注意すべきである。
【００１１】
図１に示されるように、そしてセッションが設定されていると仮定すると、ＣＳＩ  ＷＴＲＵ１０にてＩＭＳセッション信号ＳＩＭＳがＩＭＳクライアント・エンティティＷＴＲＵ１０ｂから送られ、そして次にＩＭＳセッション信号ＳＩＭＳがＲＡＮ（Radio Access Network：無線アクセス・ネットワーク）１４、ＰＳドメイン・エンティティ１８及びＣＳＩ  ＩＷＦ（CSI InterWorking Function：ＣＳＩ相互動作機能）エンティティ２０によって処理され、ＣＳ信号ＳＣＳと結合される。Ｇｍは、Ｐ−ＣＳＣＦ（Proxy-Call Session Control Function：プロキシ−通話セッション制御機能）として機能するＣＳＩ  ＩＷＦ２０と、ＷＴＲＵ１０のＩＭＳ部分１０ｂとの間のインタフェースを備える。以下に詳しく説明されるように、ＣＳＩ  ＩＷＦ２０はそれぞれＳＧＳＮ及びＧＧＳＮ（a Serving and a Gateway GPRS Support Node）を採用し、その機能を実行する。
【００１２】
ＣＳエンティティ１０ａからのＣＳＩ  ＷＴＲＵ１０でのＣＳ信号ＳＣＳは、Ｕｕ／Ｕｍ無線インタフェース上でＲＡＮ１４及びＣＳドメイン・エンティティ１６に通信される。Ｕｕは、ＵＴＲＡＮ（UMTS Terrestrial Radio Access Network）及びＣＤＭＡを利用するＷＴＲＵ、及びＣＳＩ  ＩＷＦエンティティ２０の間のインタフェースであり、ＳＣＳセッション信号をＩＭＳドメインにおけるＩＭＳセッション信号ＳＩＭＳと結合する。一方、Ｕｍは、３ＧＰＰ２無線インタフェースに対する無線インタフェース基準点である。ＣＤＭＡ（符号分割多重アクセス方式）技術を利用し、そして３Ｇシステム及び現在のＴＩＡ（Telecommunications Industry Association：米国電気通信工業会）／ＥＩＡ（Electronic Industry Association：米国電子工業会）９５−Ｂ規格群の発展形の要件をも満足するのは、広帯域スペクトル拡散インタフェースである。
【００１３】
結合されたＣＳ／ＩＭＳコンテンツ信号ＳＶ＆Ｍは、２つのネットワーク送受信機、すなわちＷＴＲＵ１０及びＷＴＲＵ１２の間で双方向に送信されるが、これはＣＳＩ  ＩＷＦ２０によって可能となる。
【００１４】
図２を参照すると、図１及び図２における同様な要素が同様な番号により表示され、ＣＳＩ  ＷＴＲＵ１０及びＩＭＳ  ＷＴＲＵ１２の間の信号方式シーケンス図が示される。
【００１５】
結合されたセッションはステップＳ１にてＩＭＳ可能なＷＴＲＵ１２によって開始され、結合されたＶ及びＭセッションのためにＩＭＳドメインＡ２４ａにＩｎｖｉｔｅを送る。ＩＭＳドメインは、ＳＩＰ（Session Initiation Protocol：セッション開始プロトコル）に準拠し、このＩｎｖｉｔｅはＳＩＰメッセージである。このＩｎｖｉｔｅ（Ｖ＆Ｍ）は、Ｓ２にてＩＭＳドメインＢ機能デバイス２４ｂに送られる。デバイス２４ｂはＳ３にて、位置及びプロフィルを求めてＨＬＲ（Home Location Register：ホーム位置レジスタ）／ＨＳＳ（Home Subscriber Server：ホーム加入者サーバ）２２に照会する。ＷＴＲＵ１０はＳ０にて、以前から電源を投入され、ＣＳＩ可能なＷＴＲＵとして登録され、かつＩＭＳ  ＣＳＩ  ＩＷＦを割り当てられていると仮定する。
【００１６】
Ｓ４にてＨＬＲ／ＨＳＳ２２は、要求された位置及びプロフィル（ＣＳＩ可能な）をデバイス２４ｂに供給して、Ｓ５にてＩｎｖｉｔｅ（Ｖ＆Ｍ）をＩＭＳ  ＣＳＩ  ＩＷＦ２０に送り、Ｓ６にてそのＩｎｖｉｔｅをＩＭＳ可能な部分１０ｂに送る。
【００１７】
ＷＴＲＵ１０は、Ｓ７にてＩｎｖｉｔｅを受諾し、そしてＳ８にて２００  ＯＫ（Ｖ＆Ｍ）をＣＳＩ  ＩＷＦ２０に送る。ＣＳＩ  ＩＷＦ２０はＳ９にて、ＩＭＳドメインＢ２４ｂにＯＫを送り、そのＯＫはＳ１０にてＩＭＳドメインＡ２４ａへ転送され、Ｓ１０ａにてＣＳ及びＰＳ無線ベアラであるＢＣＳ及びＢＰＳの確立を起動し、ＣＳＩ  ＩＷＦ２０、ＭＧＷ／ＭＧＣＦ２６、及びＷＴＲＵ１０のＣＳＩ部分１０ａに対しそれぞれ手続き上のステップＳ１０ｂ、Ｓ１０ｃ、及びＳ１０ｄを適用する。Ｓ１１にてＩＭＳドメインＡ２４ａがＷＴＲＵ１２へＯＫを送る。ＣＳ音声ベアラＢＣＳが、ＭＧＷ／ＭＧＣＦ２６及びＣＳ部分ｌ０ａの間に確立される。ＰＳ音声ベアラＢＰＳが、ＩＭＳ部分１０ｂ及びＩＭＳドメインＢ２４ｂの間に確立される。
【００１８】
Ｓ１２にてＷＴＲＵ１２はＯＫを確認し、そしてＡＣＫ（Ｖ＆Ｍ）をＩＭＳドメインＡ２４ａへ送り、Ｓ１３にてそこからＩＭＳドメインＢ２４ｂに送られる。Ｓ１４にてＩＭＳドメインＢ２４ｂはＡＣＫ（Ｖ＆Ｍ）をＣＳＩ  ＩＷＦ２０に転送し、そこからＳ１６で、ＡＣＫ（Ｍ）のみがＷＴＲＵ１０のＩＭＳ部分１０ｂに転送され、ＡＣＫ（Ｖ）ＩＭのみがＭＧＷ／ＭＧＣＦ２６に転送される。
【００１９】
ＭＧＷ／ＭＧＣＦ２６はＳ１７にて、ＷＴＲＵ１０のＣＳ部分１０ａに呼び出し（ringing）条件を送り、結合されたセッションの音声部分を開始する。ＷＴＲＵ１０のＣＳ１０ａはＳ１８にて呼び出しに応答する。ＷＴＲＵ１０はまた、Ｓ１９にてＡＣＫ（Ｍ）メッセージに応答する。
【００２０】
Ｓ２０にてＣＳ音声通話セッションがＷＴＲＵ１０及びＭＧＷ／ＭＧＣＦ２６の間に伸びる。ＭＧＷ／ＭＧＣＦ２６は、Ｓ２１にてＣＳ音声をＶｏＩＰ形式に変え、Ｓ２２にてＭＧＷ／ＭＧＣＦ２６及びＣＳＩ  ＩＷＦ２０との間にＶｏＩＰセッションを提供する。
【００２１】
Ｓ２３にて、ＣＳＩ  ＩＷＦ２０及びＷＴＲＵ１０のＩＭＳ部分１０ｂの間でメディア・コンテンツが設定される。ＣＳＩ  ＩＷＦ２０はＳ２４にて、変えられたＣＳ音声（すなわちＶｏＩＰ）及びＷＴＲＵ１０から受信されたメディアを結合し、そしてＩＭＳドメインＡ２４ａを通してＷＴＲＵ１２にそれを送り、ＩＭＳドメインＡ２４ａはＳ２５にて、結合されたセッションをＷＴＲＵ１２との間で伝達・受信し、Ｓ２６にてＢＹＥ（Ｖ＆Ｍ）をＩＭＳドメインＡ２４ａに送り、そこからＳ２７にてＢＹＥ（Ｖ＆Ｍ）をＣＳＩ  ＩＷＦ２０に送り、ＳＣで表される結合されたセッションを、ＷＴＲＵがセッションを終了させるまで継続する。ＣＳＩ  ＩＷＦ２０は、ＢＹＥ（Ｖ＆Ｍ）をＳ２８にてＷＴＲＵ１０のＩＭＳ部分１０ｂに送り、そしてＳ２９にてＭＧＷ／ＭＧＣＦ２６に送り、Ｓ３０にて結合されたセッションが開放される。
【００２２】
本発明の特徴及び要素が好適な実施形態において特定の組み合わせにて説明されているが、それぞれの特徴または要素は好適な実施形態の他の特徴及び要素なしで単独にて、または本発明の他の特徴及び要素のあるなしにかかわらず、様々な組み合わせにて使用可能である。本発明において提供された方法またはフロー図は、汎用コンピュータまたは処理装置による実行のためのコンピュータにて読み込み可能な記憶媒体にて実体的に具現化されたコンピュータ・プログラム、ソフトウェア、またはファームウェアにて実施することができる。コンピュータにて読み込み可能な記憶媒体の例としては、読み出し専用メモリ（ＲＯＭ）、ランダム・アクセス・メモリ（ＲＡＭ）、レジスタ、キャッシュ・メモリ、半導体記憶デバイス、内蔵ハード・ディスク及び着脱可能ディスクなどの磁気媒体、磁気−光学媒体、及びＣＤ−ＲＯＭディスク及びデジタル多用途ディスク（ＤＶＤ）などの光学媒体が含まれる。
【００２３】
適切な処理装置の例としては、汎用プロセッサ、専用プロセッサ、従来のプロセッサ、ＤＳＰ（Digital Signal Processor）、複数のマイクロプロセッサ、ＤＳＰコアに関連付けられた１つまたは複数のマイクロプロセッサ、制御装置、マイクロ制御装置、ＡＳＩＣ（Application Specific Integrated Circuit）、ＦＰＧＡ（Field Programmable Gate Array）回路、他の任意の種類のＩＣ（Integrated Circuit）、及び／または状態マシンが含まれる。
【００２４】
ソフトウェアに関連付けられた処理装置は、無線送受信ユニット（ＷＴＲＵ）、ユーザ設備（ＵＥ）、端末、基地局、無線ネットワーク制御装置（ＲＮＣ）または任意のホスト・コンピュータにおける使用のための無線周波数送受信機を実施するために使用可能である。ＷＴＲＵは、ハードウェア及び／またはソフトウェアで実施され、カメラ、ビデオカメラ・モジュール、テレビ電話、スピーカフォン、振動デバイス、スピーカ、マイクロホン、テレビ送受信機、ハンズフリー受話器、キーボード、Ｂｌｕｅｔｏｏｔｈ（登録商標）モジュール、周波数変調（ＦＭ）された無線ユニット、液晶（ＬＣＤ）表示装置、有機発光ダイオード（Organic Light-Emitting Diode：ＯＬＥＤ）表示ユニット、デジタル音楽プレーヤ、メディア・プレーヤ、テレビゲーム・プレーヤ・モジュール、インターネット・ブラウザ、及び／または任意の無線ローカル・エリア・ネットワーク（ＷＬＡＮ）モジュールなどのモジュールと連動して使用することができる。
【００２５】
実施形態
１．少なくとも２つのユーザを有する無線ネットワークにおいて、
異なったコンテンツ能力を有する２つのユーザの間でＣＳセッションを最初に確立するステップと、
前記２つのユーザの間でＩＭＳセッションを確立するステップと、
前記ＣＳセッション及び前記ＩＭＳセッションを結合するステップと、
前記結合されたＣＳ及びＩＭＳセッションの相互動作を提供するステップと
を含むことを特徴とする方法。
【００２６】
２．前記コンテンツが少なくとも音声及びマルチメディアを含むことを特徴とする実施形態１に記載の方法。
【００２７】
３．前記２つのユーザの第１のユーザが前記ＩＭＳセッションを送信勧誘する（invite）ことを特徴とする実施形態１及び２に記載の方法。
【００２８】
４．前記２つのユーザの第２のユーザが前記ＩＭＳ送信勧誘（invitation）を受諾することを特徴とする実施形態１〜３に記載の方法。
【００２９】
５．ＣＳ及びＩＭＳコンテンツが、前記ＩＭＳドメインにおいてＣＳＩ  ＩＷＦ（CSI InterWorking Function：ＣＳＩ相互動作機能）を使用して結合されることを特徴とする実施形態１〜４に記載の方法。
【００３０】
６．ＩＭＳ能力を有するＷＴＲＵとして前記２つのユーザの１つを構成することをさらに含むことを特徴とする実施形態１〜５に記載の方法。
【００３１】
７．相互動作するＩＭＳ及びＣＳ通話能力を有するＷＴＲＵとして前記２つのユーザの１つを構成することをさらに含むことを特徴とする実施形態１〜６に記載の方法。
【００３２】
８．相互動作するＩＭＳ及びＣＳ通話能力を有するＷＴＲＵとして前記２つのユーザの残りの１つを構成することをさらに含むことを特徴とする実施形態１〜７に記載の方法。
【００３３】
９．ＩＭＳ能力を有する前記ＷＴＲＵが、結合されたＣＳ及びＩＭＳセッションに対して送信勧誘を開始することをさらに含むことを特徴とする実施形態１〜８に記載の方法。
【００３４】
１０．相互動作能力を有する前記ＷＴＲＵが、前記ＣＳ能力によって音声メッセージを受信すること、及び前記ＩＭＳ能力によりメディア・コンテンツを受信することをさらに含むことを特徴とする実施形態１〜９に記載の方法。
【００３５】
１１．ＩＭＳ能力を有する前記ＷＴＲＵが、前記ＩＭＳ能力によってメディア・メッセージと結合されたＶｏＩＰ音声メッセージを受信することをさらに含むことを特徴とする実施形態１〜１０に記載の方法。
【００３６】
１２．前記ＩＭＳ可能なＷＴＲＵからメディア及びＶｏＩＰ形式音声コンテンツを受信し、かつ前記相互動作ＷＴＲＵの前記ＩＭＳ能力にメディア・コンテンツを供給するために前記２つのユーザの間に相互動作機能を提供するステップ、及びＶｏＩＰ形式音声コンテンツを前記相互動作ＷＴＲＵの前記ＣＳ能力と互換性のある形式に変えるステップをさらに含むことを特徴とする実施形態１〜１１に記載の方法。
【００３７】
１３．前記相互動作ＷＴＲＵからメディア及びＣＳ音声コンテンツを受信し、かつ前記ＩＭＳ可能なＷＴＲＵの前記ＩＭＳ能力にメディア・コンテンツを供給するために前記２つのユーザの間に相互動作機能を提供するステップ、及び前記ＣＳ音声コンテンツを前記ＩＭＳ可能なＷＴＲＵの前記ＩＭＳ能力と互換性のあるＶｏＩＰ形式に変えるステップをさらに含むことを特徴とする実施形態１〜１２に記載の方法。
【００３８】
１４．ＩＷＦ（InterWorking Function：相互動作機能）へＩＭＳドメインを通して伝達された前記ＩＭＳ可能なＷＴＲＵからの送信勧誘信号を、前記相互動作ＷＴＲＵの前記ＩＭＳ能力へのみ伝達し、ならびに前記相互動作ＷＴＲＵから受諾信号を受信し、かつ前記受諾信号を前記ＩＭＳ可能なＷＴＲＵに前記ＩＭＳドメインを通して伝達するために、前記の２つのユーザの間にＩＷＦを提供するステップをさらに含むことを特徴とする実施形態１〜１３に記載の方法。
【００３９】
１５．前記ＩＷＦが、前記ＩＭＳドメインにおけるＭＧＷ及び前記相互動作ＷＴＲＵの前記ＣＳ能力の間にＣＳ音声ベアラを確立するステップをさらに含むことを特徴とする実施形態１４に記載の方法。
【００４０】
１６．前記ＩＷＦが、前記相互動作ＷＴＲＵの前記ＩＭＳ能力及び前記ＩＭＳドメインの間にＰＳメディア・ベアラを確立するステップをさらに含むことを特徴とする実施形態１〜１５に記載の方法。
【００４１】
１７．少なくとも２つのユーザを有する無線ネットワークにおいて、
異なったコンテンツ能力を有する２つのユーザの間でＣＳセッションを最初に確立するためのデバイスと、
前記ＣＳセッション及びＩＭＳセッションを結合することによって前記２つのユーザの間で前記ＩＭＳセッションを確立し、それにより前記結合されたＣＳ及びＩＭＳセッションの相互動作をさらに提供する前記デバイスと
を含むことを特徴とする装置。
【００４２】
１８．前記コンテンツが少なくとも音声及びマルチメディアを含むことを特徴とする実施形態１７に記載の装置。
【００４３】
１９．前記２つのユーザの第１のユーザが前記ＩＭＳセッションに対して送信勧誘信号を供給するように構成されることを特徴とする実施形態１７及び１８に記載の装置。
【００４４】
２０．前記２つのユーザの第２のユーザが前記送信勧誘信号に応答し、かつ前記ＩＭＳ送信勧誘の受諾信号を送るように構成されること特徴とする実施形態１７〜１９に記載の装置。
【００４５】
２１．前記ＣＳ及びＩＭＳコンテンツが、前記ＩＭＳドメインにおいてＣＳＩ  ＩＷＦを使用して結合されることを特徴とする実施形態１７〜２０に記載の装置。
【００４６】
２２．前記２つのユーザの１つが、ＩＭＳ能力を有するＷＴＲＵとして構成されることをさらに備えることを特徴とする実施形態１７〜２１に記載の装置。
【００４７】
２３．前記２つのユーザの１つが、相互動作するＩＭＳ及びＣＳ通話能力を有するＷＴＲＵとして構成されることをさらに備えることを特徴とする実施形態１７〜２２に記載の装置。
【００４８】
２４．前記２つのユーザの残りの１つが、相互動作するＩＭＳ及びＣＳ通話能力を有するＷＴＲＵとして構成されることをさらに備えることを特徴とする実施形態１７〜２３に記載の装置。
【００４９】
２５．ＩＭＳ能力を有するＷＴＲＵが、結合されたＣＳ及びＩＭＳセッションに対して送信勧誘を開始するように構成されることをさらに備えることを特徴とする実施形態１７〜２４に記載の装置。
【００５０】
２６．相互動作能力を有するＷＴＲＵが、前記ＣＳ能力によって音声メッセージを受信し、かつ前記ＩＭＳ能力によりメディア・コンテンツを受信するように構成されることをさらに備えることを特徴とする実施形態１７〜２５に記載の装置。
【００５１】
２７．ＩＭＳ能力を有するＷＴＲＵが、前記ＩＭＳ能力によってメディア・メッセージと結合されたＶｏＩＰ音声メッセージを受信するように構成されることをさらに備えることを特徴とする実施形態１７〜２６に記載の装置。
【００５２】
２８．前記ＩＭＳ可能なＷＴＲＵからメディア及びＶｏＩＰ形式音声コンテンツを受信し、かつ前記相互動作ＷＴＲＵの前記ＩＭＳ能力にメディア・コンテンツを供給するように構成され、ならびにＶｏＩＰ形式音声コンテンツを前記相互動作ＷＴＲＵの前記ＣＳ能力と互換性のある形式に変えるように構成される、前記２つのユーザの間の相互動作機能を提供することをさらに備えることを特徴とする実施形態１７〜２７に記載の装置。
【００５３】
２９．前記相互動作ＷＴＲＵからメディア及びＣＳ音声コンテンツを受信し、かつ前記ＩＭＳ可能なＷＴＲＵの前記ＩＭＳ能力にメディア・コンテンツを供給するように構成され、ならびに前記ＣＳ音声コンテンツを前記ＩＭＳ可能なＷＴＲＵの前記ＩＭＳ能力と互換性のあるＶｏＩＰ形式に変えるように構成される、前記２つのユーザの間の相互動作機能を提供することをさらに備えることを特徴とする実施形態１７〜２８に記載の装置。
【００５４】
３０．ＩＷＦへＩＭＳドメインを通して伝達された前記ＩＭＳ可能なＷＴＲＵからの送信勧誘信号を、前記相互動作ＷＴＲＵの前記ＩＭＳ能力へのみ伝達するように構成され、ならびに前記相互動作ＷＴＲＵから受諾信号を受信し、かつ前記受諾信号を前記ＩＭＳ可能なＷＴＲＵに前記ＩＭＳドメインを通して伝達するように構成される、前記２つのユーザの間のＩＷＦを提供することをさらに備えることを特徴とする実施形態１７〜２９に記載の装置。
【００５５】
３１．前記ＩＷＦが、前記ＩＭＳドメインにおけるＭＧＷ及び前記相互動作ＷＴＲＵの前記ＣＳ能力の間にＣＳ音声ベアラを確立するように構成されることをさらに備えることを特徴とする実施形態１７〜３０に記載の装置。
【００５６】
３２．前記ＩＷＦが、前記相互動作ＷＴＲＵの前記ＩＭＳ能力及び前記ＩＭＳドメインの間にＰＳメディア・ベアラを確立するように構成されることをさらに備えることを特徴とする実施形態１７〜３１に記載の装置。
【００５７】
３３．前記ＩＷＦが、前記ＩＭＳ可能なＷＴＲＵからの終話（ＢＹＥ）メッセージに対応して前記相互動作ＷＴＲＵ及び前記ＭＧＷに終話メッセージ群を伝達するように構成されることをさらに備えることを特徴とする実施形態１７〜３２に記載の装置。
【００５８】
３４．前記ＭＧＷが、前記ＩＷＦからの前記ＢＹＥメッセージに対応して相互動作ＷＴＲＵに通話開放メッセージを供給するように構成されることをさらに備えることを特徴とする実施形態１７〜３３に記載の装置。
【００５９】
３５．実施形態１〜３４に記載のいずれかに従って構成されることを特徴とするＷＴＲＵ。
【００６０】
３６．実施形態１〜３４に記載のいずれかと共に機能するように構成されることを特徴とするＷＴＲＵ。
【００６１】
３７．実施形態１〜３６に記載のいずれかに従って構成されることを特徴とするＩＷＦ。
【００６２】
３８．実施形態１〜３６に記載のいずれかと共に機能するように構成されることを特徴とするＩＷＦ。
【図面の簡単な説明】
【００６３】
【図１】結合されたＣＳ及びＩＭＳセッションを持つ無線通話セッションに対する信号を示すフロー図である。
【図２】結合されたＣＳ及びＩＭＳセッションを確立するための２つの無線ユーザの間の信号方式シーケンスを示す図である。
【図１】
2009525682.tif 000003
【図２】
2009525682.tif 000004
【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
２つの異なった遠隔ユーザを支援するための方法であって、
前記方法は、
独立な回線交換及びパケット交換の能力を有する第１の遠隔ユーザを、前記回線交換及びパケット交換の能力の両方の使用を必要とするセッションに接続するように送信勧誘するステップ（Ｓ１）と、
前記送信勧誘の受諾に対応して回線交換ベアラＢＣＳ及びパケット交換ベアラＢＰＳを設定するステップと、
前記回線交換能力及びパケット交換能力のコンテンツをゲートウェイ（２６）にて受信するステップと、
結合されたコンテンツを受信する（Ｓ２５）ように構成される第２の遠隔ユーザのために、前記回線交換コンテンツ及びパケット交換コンテンツを結合するステップと
を含むことを特徴とする方法。
【請求項２】
前記回線交換コンテンツ及びパケット交換コンテンツがそれぞれ音声（ｌ０ａ）及びマルチメディア（ｌ０ｂ）であることを特徴とする請求項１に記載の方法。
【請求項３】
前記送信勧誘が前記パケット交換能力に送られる（Ｓ７）ことを特徴とする請求項１に記載の方法。
【請求項４】
前記第２の遠隔ユーザから受信された前記結合された回線交換コンテンツ及びパケット交換コンテンツをそれぞれ前記回線交換能力及びパケット交換能力に独立に送るようにそれぞれ構成される相互動作機能（２０）を利用するステップをさらに含むことを特徴とする請求項１に記載の方法。
【請求項５】
前記回線交換能力から前記ゲートウェイ（２６）にて音声コンテンツを受信するステップと、
前記音声コンテンツをＶｏＩＰに変換する（Ｓ２１）ステップと
をさらに含むことを特徴とする請求項１に記載の方法。
【請求項６】
前記第２の遠隔ユーザと通信する第１のＩＭＳ（２４ｂ）と、前記第１の遠隔ユーザの前記回線交換能力と通信する第２のＩＭＳ（２４ａ）との間に前記パケット交換無線ベアラＢＰＳを設定するステップをさらに含むことを特徴とする請求項１に記載の方法。
【請求項７】
２つの異なった遠隔ユーザを支援するための装置であって、
前記ユーザの第１のユーザが、それぞれ異なったコンテンツを取り扱うための別々の回線交換及びパケット交換の手段を有する回線交換相互動作デバイス（１０）として構成されることと、
前記遠隔ユーザの第１のユーザの独立な回線交換能力からの第１の種類のコンテンツを支援する第１のベアラ機能と、
前記遠隔ユーザの前記第１のユーザの独立なパケット交換能力からの第２の種類のコンテンツを支援する第２のベアラ機能と、
前記第１の遠隔ユーザから受信された、前記第１及び第２の種類のコンテンツを結合するゲートウェイ（２６）と、
前記結合された第１及び第２の種類のコンテンツを、前記結合されたコンテンツを受信するように構成される遠隔ユーザの第２のユーザ（１２）に供給することと
を備えることを特徴とする装置。
【請求項８】
前記第１及び第２の種類のコンテンツが、それぞれ音声（ｌ０ａ）及びマルチメディア（ｌ０ｂ）であることを特徴とする請求項７に記載の装置。
【請求項９】
前記送信勧誘が前記パケット交換能力に送られることにより特徴付けられる請求項７に記載の装置。
【請求項１０】
前記第２の遠隔ユーザからの前記結合された第１及び第２の種類のコンテンツを分離するように構成される相互動作機能（２０）をさらに備えることを特徴とする請求項７に記載の装置。
【請求項１１】
前記ゲートウェイが、前記第１の遠隔ユーザからの前記音声コンテンツをＶｏＩＰに変換し（Ｓ２１）、かつ前記第２の遠隔ユーザによる使用のために前記ＶｏＩＰを前記パケット交換能力からの前記コンテンツと結合するように構成されることを特徴とする請求項１０に記載の装置。
【請求項１２】
前記ベアラが、回線交換無線ベアラＢＣＳ及びパケット交換無線ベアラＢＰＳであることを特徴とする請求項７に記載の装置。
【請求項１３】
前記回線交換無線ベアラＢＣＳが、前記ゲートウェイ（２６）と、前記第１の遠隔ユーザの前記回線交換能力との間に提供されることを特徴とする請求項１２に記載の装置。
【請求項１４】
前記パケット交換無線ベアラが、前記第２の遠隔ユーザと通信する第１のＩＭＳ機能（２４ｂ）と、前記第１の遠隔ユーザの前記回線交換能力と通信する第２のＩＭＳ機能（２４ａ）との間にあることを特徴とする請求項１２に記載の装置。
【請求項１５】
前記第２の遠隔ユーザから受信された音声及びマルチメディアのコンテンツを分離することと、
独立に前記音声及びマルチメディアのコンテンツを前記第１の遠隔ユーザに送る前に前記音声コンテンツをＶｏＩＰから音声に変換することと
をさらに備えることを特徴とする請求項１０に記載の装置。
【国際調査報告】
2009525682.tif 000005
2009525682.tif 000006
2009525682.tif 000007
2009525682.tif 000008